(57)【要約】【課題】ホスト装置と光ドライブ装置とを接続する電源ラインはハードウェア的に遮断されないため、この電源ラインを経由して常に数ｍＡ程度の電流が流れてしまっていた。本発明は、消費電流の発生を抑え、電池の多大な消耗を防止できる光ドライブ装置を提供することを目的とする。【解決手段】第１のラインｂを介して電力が供給されるとともに、フィードモータ８及びスピンドルモータ９に電力を供給するＤＣＤＣコンバータ４と、第１のラインｂを介して電力が供給されるとともにＬＤ１１に電力を供給するＬＤ用ＤＣＤＣコンバータ６と、ＬＤ用ＤＣＤＣコンバータ６からのＬＤ１１への電力供給を制御するコントローラ７と、第２のラインｃからの制御に基づいてＤＣＤＣコンバータ４及びＬＤ用ＤＣＤＣコンバータ６への電力供給を遮断するスイッチ回路１２を備える。【選択図】図１
2011034619.tif 000002
【特許請求の範囲】
【請求項１】
ホスト装置から電力を得るために設けられた第１のライン及び前記ホスト装置からの前記電力の供給を制御するために設けられた第２のラインと接続するコネクタと、前記第１のラインを介して電力が供給されるとともに、フィードモータ及びスピンドルモータに電力を供給する第１のコンバータと、前記第１のラインを介して電力が供給されるとともに光源に電力を供給する第２のコンバータと、前記第２のコンバータからの前記光源への電力供給を制御するコントローラと、前記第２のラインからの制御に基づいて前記第１のコンバータ及び前記第２のコンバータへの電力供給を遮断するスイッチとを備えたことを特徴とする光ドライブ装置。
【請求項２】
前記コントローラは前記第２のコンバータが所定期間、消費電流を出力していることを検出したときに、前記ホスト装置に通知することを特徴とする請求項１記載の光ドライブ装置。
【発明の詳細な説明】
【技術分野】
【０００１】
本発明は、ホスト装置に接続された光ドライブ装置に関し、とりわけＡＴＡＰＩインタフェースによりホスト装置に接続された光ドライブ装置に関するものである。
【背景技術】
【０００２】
近年、パーソナルコンピュータシステムやＤＶＤレコーダシステムなどに搭載される記憶装置として、光ドライブ装置が用いられる。また、光ドライブ装置とパーソナルコンピュータ等のホスト装置、とを接続するためのホストインタフェースとしてＡＴＡ／ＡＴＡＰＩインタフェースが知られている。ここで、ＡＴＡ（ＡＴ  Ａｔｔａｃｈｍｅｎｔ）は、ハードディスク接続用の規格であり、ＡＴＡＰＩ（ＡＴＡ  Ｐａｃｋｅｔ  Ｉｎｔｅｒｆａｃｅ）は、ＤＶＤ−ＲＡＭドライブなどハードディスク以外の補助記憶装置接続用の規格である。
【０００３】
ＡＴＡＰＩ規格で接続されている場合、電源ラインは光ドライブ装置の使用の有無に関わらず、ホスト装置と光ドライブ装置との間では電気的に接続されたままである（ハードウェア的に）。従来の技術として、待機時の消費電力低減のため、所定の時間、ホスト装置からコマンドが到来しないと光ディスクの回転数を下げる、フォーカシング／トラッキングサーボ動作、光ディスクの回転を停止する、使用していない回路ブロックの動作を停止する、等の消費電力低減方法を行っている。
【先行技術文献】
【特許文献】
【０００４】
【特許文献１】特開２００１−１３５００９号公報
【発明の概要】
【発明が解決しようとする課題】
【０００５】
しかしながら、使用していない回路ブロックの動作の停止等、光ドライブ装置の内部の回路を個別にオン・オフ制御することは為されていたが、ホスト装置と光ドライブ装置とを接続する電源ラインはハードウェア的に遮断されないため、この電源ラインを経由して常に数ｍＡ程度の電流が流れてしまっていた。つまり、光ドライブ装置が未使用時であっても無駄な消費電流が発生してしまう課題があった。小径ディスクを利用した光ドライブ装置では、ホスト装置として携帯電話端末が考えられる。携帯電話端末が光ドライブ装置のホスト装置である場合には、数ｍＡ程度の消費電流でさえ、電池の消耗に多大な影響を与え、結果的に、ユーザが携帯電話端末を使用できる時間を短くしてしまうという課題があった。
【０００６】
本発明は上記問題を解決するために為されたものであり、消費電流の発生を抑え、電池の多大な消耗を防止できる光ドライブ装置を提供することを目的とする。
【課題を解決するための手段】
【０００７】
上記の目的を達成するために、本発明は、ホスト装置からの指示により、光ドライブ装置内部に設けたスイッチをＯＮ／ＯＦＦする事で、ホスト装置から光ドライブ装置への電力供給する為の電源ラインをハードウェア的に導通／遮断する機能を備えるようにしたものである。
【発明の効果】
【０００８】
本発明によれば、ホスト装置からの指示に従い、電源ラインをハードウェア的に導通／遮断する機能を備えたことにより、光ドライブ装置の内部に発生する消費電流を抑え、電池の多大な消耗を防止できる光ドライブ装置を得ることができる。
【図面の簡単な説明】
【０００９】
【図１】本発明の一実施例における光ドライブ装置の概略構成図
【図２】本発明の一実施例における光ドライブ装置の昇圧回路の構成図
【図３】本発明の一実施例のスイッチ回路をオン／オフ制御したときにおける各回路の信号波形図
【図４】スイッチ回路を備えていない光ドライブ装置における各回路の信号波形図
【発明を実施するための形態】
【００１０】
図１は本発明の一実施例における光ドライブ装置の概略構成図であり、説明の都合上ホスト装置の接続部も示している。図１において、１は図示しないホスト装置のコネクタ部、２はドライブ装置のコネクタ部であり、コネクタ部１とコネクタ部２とはＡＴＡＰＩ規格に準拠した信号ラインａ、電源ラインｂ、オン／オフラインｃを介して接続されている。３、４、５はそれぞれ電圧値が異なるＤＣＤＣコンバータであって、５．０Ｖ、３．３Ｖ、１．５Ｖに設定されている。６はＬＤ用ＤＣＤＣコンバータ、７は光ドライブ装置全体を制御するコントローラであり、信号ラインａを介して、ホスト装置からのコマンドが入力される。８はピックアップ装置１３を光ディスクの内外周に移動させるフィードモータ、９は光ディスクを回転させるためのスピンドルモータ、１０は光ディスクに対してレンズのフォーカスを合わせ、ディスクのトラックに対してレンズを追従させるアクチュエータ、１１は光源となるＬＤである。アクチュエータ１０とＬＤ１１でピックアップ装置１３を構成する。
【００１１】
１２は電源ラインｂとオン／オフラインｃが入力されるスイッチ回路であり、ホスト装置からのオン／オフ制御によりホスト装置からの電源供給をハードウェア的にオン／オフ制御するものである。つまり、オフの場合にはスイッチ回路でＤＣＤＣコンバータ３、４、５及びＬＤ用ＤＣＤＣコンバータ６と接続するラインを切断して、ホスト装置からの電源供給を遮断する。
【００１２】
以上の構成を有する光ドライブ装置において以下、ホスト装置からの制御により電源のオン／オフ制御について説明する。ホスト装置からオン／オフラインｃを介してオンのコマンドをスイッチ回路１２が受信すると、スイッチ回路は遮断されていた電源ラインｃ１とｃ２とを接続する。この接続により、ＤＣＤＣコンバータ４の出力が立ち上がり、９、アクチュエータ１０に電力を供給し、これらを動作させる。その後ＤＣＤＣコンバータ３及び５が立ち上がる。これは、ＳＯＤＣとＦＥＰからなるコントローラ７の仕様により、電源電圧の立上げ順が規定されている為であるが、本発明はこれに限定されるものではない。さらに、ＬＤを点灯する際のみ、コントローラ７のオン／オフ制御により、ＬＤ用ＤＣＤＣコンバータ６が立ち上がる。ＬＤ用ＤＣＤＣコンバータ６の立ち上がりについては図２を用いて説明する。
【００１３】
図２は本発明における光ドライブ装置の昇圧回路であるＬＤ用ＤＣＤＣコンバータ６の構成図である。なお、ＤＣＤＣコンバータ３もＬＤ用ＤＣＤＣコンバータ６とともに昇圧回路を構成しているので、コンバータ３も同様な構成である。図２において、コントローラ７の制御によりＳＤＮがオン／オフされる。ＬＤ用ＤＣＤＣコンバータ６のスイッチであるＳＤＮがＯＦＦであっても、ホスト装置から、ＶＰＷに電力が供給されると、チョークコイル、ダイオードの順で電流が流れ、接続先の負荷において消費電流が生じてしまう。なお、図２において、Ａで示すＳＤＮへの入力はコントローラ７からの入力を示し、Ｂで示すＶＰＷへの入力はスイッチ回路１２からの入力を示す。また、Ｃで示す出力はＬＤ１１への出力を示す。
【００１４】
図３はスイッチ回路１２をＯＮ／ＯＦＦ制御したときにおける各回路の信号波形図である。スイッチ回路１２により電源ラインｃ１とｃ２が遮断されている間では消費電流は発生しない。スイッチ回路１２のオン／オフ制御により、電源ラインｃ１とｃ２とが接続される。この接続に応じてＤＣＤＣコンバータ３、４、５、６に電力が供給され、ＤＣＤＣコンバータ３、４、５については、オフからオンに切り替わる。なお、図３から明らかなように、ＤＣＤＣコンバータ３とＬＤ用ＤＣＤＣコンバータ６は図２で説明したように昇圧回路において消費電流が生じる。つまり、電源ラインｃによりＶＰＷに電力が供給され始めると、昇圧回路のチップイネーブルがＨｉにならなくても消費電流が発生する。この結果、スイッチ回路１２がＯＮになり、ＳＤＮがＯＮになるまでは、光ドライブ装置が非動作中であっても、ＤＣＤＣコンバータ３、及びＬＤ用ＤＣＤＣコンバータ６は、それぞれ無駄に消費電流が発生する。しかしながら、光ドライブ装置の非動作中において、スイッチ回路１２をＯＦＦする事で、その無駄な消費電力を最小限に抑える事が可能である。
【００１５】
説明の便宜上、図４を用いて本発明の光ドライブ装置がいかに消費電流を削減しているか説明する。図４はスイッチ回路１２を備えていない光ドライブ装置における各回路の信号波形図を示す。この場合、常にホスト装置から各ＤＣＤＣコンバータに対しては電力が供給されている。また、スイッチ回路１２の有無に関わらず、ＬＤ用ＤＣＤＣコンバータはＳＤＮのオン／オフ制御により制御される。しかしながら、ＳＤＮがオフの状態であってもＬＤ用ＤＣＤＣコンバータ上には常にホスト装置から電力を供給しているため、光ドライブ装置が非動作中であっても、常に無駄な消費電力が発生してしまう。その他、常にホスト装置からドライブ装置への電力供給を行うような接続にしておくと、コントローラ７、光学部品、抵抗等（図示せず）において、消費電流が生じる。
【００１６】
さらに本実施例では、各部に発生する消費電流を検出し、所定期間消費電流が発生している場合、ホスト装置からは電源供給を受けているが光ドライブ装置の各回路は動作していない状態であることをホスト装置に通知するようにしている。この消費電流の検知及びホスト装置への通知はコントローラ７が実行している。これにより、光ドライブ装置が稼動されていない状態でホスト装置から電源供給されているような状態を防止することができる。なお、光ドライブがスリープ状態に落ち、完全に非動作状態になった後、所定期間をカウントする。
【産業上の利用可能性】
【００１７】
本発明の光ドライブ装置によれば消費電流の発生を抑え、電池の多大な消耗を防止できるため、携帯端末等の電源容量が限られた装置に接続された小径ディスクを利用した光ドライブ装置として有用である。
【符号の説明】
【００１８】
１    コネクタ部
２    コネクタ部
３    ＤＣＤＣコンバータ（５．５Ｖ対応）
４    ＤＣＤＣコンバータ（３．３Ｖ対応）
５    ＤＣＤＣコンバータ（１．５Ｖ対応）
６    ＬＤ用ＤＣＤＣコンバータ
７    コントローラ
８    フィードモータ
９    スピンドルモータ
１０    アクチュエータ
１１    ＬＤ
１２    スイッチ回路
１３    ピックアップ装置
【図１】
2011034619.tif 000003
【図２】
2011034619.tif 000004
【図３】
2011034619.tif 000005
【図４】
2011034619.tif 000006